(57)【要約】【課題】表法面側の水位が上昇したときでも水漏れを防止できる堤防嵩上げ構造物を提供する。【解決手段】堤防嵩上げ構造物は、既存堤防１１の天端１１ａに設けられた基礎１２および１３と、基礎１３の上面の表法面１１ｂ側に設けられた第１止水ゴムパッキン１４と、基礎１３の上面の裏法面１１ｃ側に設けられた高さ調整スペーサ１５と、底版部１６ａの下面が第１止水ゴムパッキン１４および高さ調整スペーサ１５に接触した状態で設置された嵩上げコンクリートブロック１６と、基礎１３の上面と嵩上げコンクリートブロック１６の底版部１６ａの下面との隙間ＣＬに設けられた結合材１７とを備えている。【選択図】図１
2018178644.tif 000002
【特許請求の範囲】
【請求項１】
表法面および裏法面を有する既存堤防の天端に設けられた基礎と、
前記基礎の上面の前記表法面側に設けられた第１止水ゴムパッキンと、
前記基礎の上面の前記裏法面側に設けられた高さ調整スペーサと、
底版部と側版部とを連続して有し、かつ、前記底版部の下面が前記第１止水ゴムパッキンおよび前記高さ調整スペーサに接触した状態で設置された嵩上げコンクリートブロックと、
前記基礎の上面と前記嵩上げコンクリートブロックの底版部の下面との隙間に設けられた結合材とを備えている、
堤防嵩上げ構造物。
【請求項２】
前記嵩上げコンクリートブロックは複数個であり、前記底版部および前記側版部が互いに向き合うように並べて設置されている、
請求項１に記載の堤防嵩上げ構造物。
【請求項３】
前記第１止水ゴムパッキンは、前記嵩上げコンクリートブロックの並び数に対応した長さを有している、
請求項２に記載の堤防嵩上げ構造物。  
【請求項４】
前記高さ調整スペーサは、前記嵩上げコンクリートブロックの並び方向に間隔をおいて複数個設けられている、
請求項２または３に記載の堤防嵩上げ構造物。  
【請求項５】
隣接する前記嵩上げコンクリートブロックの前記側版部の間には第２止水ゴムパッキンが設けられ、かつ、前記底版部の間には第３止水ゴムパッキンが設けられている、
請求項２〜４のいずれか１項に記載の堤防嵩上げ構造物。
【発明の詳細な説明】
【技術分野】
【０００１】
本発明は、堤防嵩上げに有用な堤防嵩上げ構造物に関する。
【背景技術】
【０００２】
後記特許文献１には、堤防嵩上げに関する構造物が開示されている。この構造物は、既存堤防の天端に設けられたスリットまたは鞘状部材と、スリットまたは鞘状部材にその一部分を差し込まれたパネルとから構成されており、パネルの露出部分によって堤防嵩上げが為されている。
【０００３】
しかしながら、前記の堤防嵩上げ構造物は、表法面側の水位が上昇したときに、パネルの差し込み部分を通じて表法面側から裏法面側に向かって水漏れが生じる懸念があるとともに、この水漏れを原因としてパネルを支える部分が崩壊してパネルが倒れる懸念もある。
【先行技術文献】
【特許文献】
【０００４】
【特許文献１】特開２０１５−０３１０６８号公報
【発明の概要】
【発明が解決しようとする課題】
【０００５】
本発明が解決しようとする課題は、表法面側の水位が上昇したときでも表法面側から裏法面側への水漏れを防止できる堤防嵩上げ構造物を提供することにある。
【課題を解決するための手段】
【０００６】
前記課題を解決するため、本発明に係る堤防嵩上げ構造物は、表法面および裏法面を有する既存堤防の天端に設けられた基礎と、前記基礎の上面の前記表法面側に設けられた第１止水ゴムパッキンと、前記基礎の上面の前記裏法面側に設けられた高さ調整スペーサと、底版部と側版部とを連続して有し、かつ、前記底版部の下面が前記第１止水ゴムパッキンおよび前記高さ調整スペーサに接触した状態で設置された嵩上げコンクリートブロックと、前記基礎の上面と前記嵩上げコンクリートブロックの底版部の下面との隙間に設けられた結合材とを備えている。
【発明の効果】
【０００７】
本発明に係る堤防嵩上げ構造物によれば、表法面側の水位が上昇したときでも表法面側から裏法面側への水漏れを防止できる。
【図面の簡単な説明】
【０００８】
【図１】図１は本発明の第１実施形態に係る堤防嵩上げ構造物を表法面側から見た部分図である。
【図２】図２は図１に示した堤防嵩上げ構造物のII−II線に沿う縦断面図である。
【図３】図３は図１に示した堤防嵩上げ構造物のIII−III線に沿う縦断面図である。
【図４】図４（Ａ）〜図４（Ｃ）は図１に示した第１止水ゴムパッキンの断面形状とその変形例を示す図である。
【図５】図５（Ａ）〜図５（Ｃ）は図１に示した高さ調整スペーサの外観形状とその変形例を示す図である。
【図６】図６は第１実施形態に係る堤防嵩上げ構造物の構築方法の説明図である。
【図７】図７は第１実施形態に係る堤防嵩上げ構造物の構築方法の説明図である。
【図８】図８は第１実施形態に係る堤防嵩上げ構造物の構築方法の説明図である。
【図９】図９は本発明の第２実施形態に係る堤防嵩上げ構造物を示す図２対応図である。
【図１０】図１０は本発明の第３実施形態に係る堤防嵩上げ構造物を示す図２対応図である。
【図１１】図１１（Ａ）〜図１１（Ｃ）は第１止水ゴムパッキンの他の形態に係る説明図である。
【発明を実施するための形態】
【０００９】
《第１実施形態（図１〜図８）》
まず、図１〜図５を用いて、本発明の第１実施形態に係る堤防嵩上げ構造物の構成について説明する。以下の説明では、便宜上、図２および図３の左側を前、右側を後と表記し、図１の左側を左、右側を右と表記し、図１〜図３の上側を上、下側を下と表記するともに、前後方向の寸法を幅、左右方向の寸法を長さ、上下方向の寸法を高さと表記する。
【００１０】
図１〜図３の符号１１は既存堤防であり、整地された天端１１ａを有している。符号１１ｂは既存堤防１１の表法面を示し、符号１１ｃは既存堤防１１の裏法面を示す。既存堤防１１の天端１１ａには、基礎として、砕石基礎１２とコンクリート基礎１３が設けられている。この砕石基礎１２およびコンクリート基礎１３の長さは、後述する嵩上げコンクリートブロック１６の並び数に対応している。図１〜図３にはコンクリート基礎１３の上面が天端１１ａと面一になっているものを示したが、コンクリート基礎１３の上面は天端１１ａと必ずしも面一である必要はない。
【００１１】
符号１４は第１止水ゴムパッキンであり、コンクリート基礎１３の上面の表法面１１ｂ側に設けられている。この第１止水ゴムパッキン１４の材料には、クロロプレンゴムやニトリルゴムやエチレンプロピレンゴム等の合成ゴムの他に天然ゴム等が使用できるが、水膨張性を有する合成ゴムを用いることが好ましい。また、第１止水ゴムパッキン１４の断面形状には、図４（Ａ）に示した矩形状の他、図４（Ｂ）に示した台形状や図４（Ｃ）に示した楕円形状等が適宜使用できる。さらに、第１止水ゴムパッキン１４の長さは、後述する嵩上げコンクリートブロック１６の並び数に対応している。具体的には、第１止水ゴムパッキン１４として、後述する嵩上げコンクリートブロック１６の側版部１６ｂの長さ×並び数に相当する長さを有するものを使用しても良いし、これよりも長さが小さい複数のものを直線的に並べて使用しても良い。さらに、第１止水ゴムパッキン１４は、クロロプレンゴム系やエポキシ樹脂系や変性シリコーン樹脂系やウレタン樹脂系等の接着剤を用いてコンクリート基礎１３の上面に固着されている。
【００１２】
符号１５が高さ調整スペーサであり、コンクリート基礎１３の上面の裏法面１１ｃ側に第１止水ゴムパッキン１４と前後方向に間隔をおき、かつ、後述する嵩上げコンクリートブロック１６の並び方向に間隔をおいて複数個設けられている。ちなみに、後述する嵩上げコンクリートブロック１６それぞれに接触する高さ調整スペーサ１５の数は２個以上である。この高さ調整スペーサ１５は、モルタル硬化物や合成樹脂硬化物等から成る。また、高さ調整スペーサ１５の外観形状には、図５（Ａ）に示した角柱状の他、図５（Ｂ）に示した角錐台状や図５（Ｃ）に示した円柱状等が適宜使用できる。さらに、高さ調整スペーサ１５の厚さは、後述する嵩上げコンクリートブロック１６を設置した後の第１止水ゴムパッキン１４の厚さに対応している。さらに、高さ調整スペーサ１５がモルタル硬化物から成る場合、コンクリート基礎１３の上面に硬化前のモルタルを塗布してこれを硬化させることによって同上面に設けられている。一方、高さ調整スペーサ１５が合成樹脂硬化物から成る場合、予め作製したものをコンクリート基礎１３の上面に非接着で載置するか、あるいは、予め作製したものをクロロプレンゴム系やエポキシ樹脂系や変性シリコーン樹脂系やウレタン樹脂系等の接着剤を用いてコンクリート基礎１３の上面に固着することによって同上面に設けられている。
【００１３】
符号１６は嵩上げコンクリートブロック（プレキャストコンクリートブロック）であり、底版部１６ａと側版部１６ｂとを連続して有し、内部に鉄筋１６ｃを有している。ちなみに、図示した嵩上げコンクリートブロック１６は、側版部１６ｂの長さ＞側版部１６ｂの高さ＞底版部１６ａの幅の関係を有する。この嵩上げコンクリートブロック１６は複数個用意され、各々の底版部１６ａの下面が第１止水ゴムパッキン１４および複数個の高さ調整スペーサ１５に接触した状態で、底版部１６ａおよび側版部１６ｂが互いに向き合うように、左右方向（側版部１６ｂの長さ方向）に並べて設置されている。設置状態では、コンクリート基礎１３の上面と各嵩上げコンクリートブロック１６の底版部１６ａの下面との間には、第１止水ゴムパッキン１４および高さ調整スペーサ１５の厚さに基づく隙間ＣＬ（図７を参照）が形成される。この嵩上げコンクリートブロック１６には、クレーン等によって移送する際に用いられる吊り下げ金具と、左右方向で隣接する嵩上げコンクリートブロック１６を相互連結する際に用いられる接続金具が設けられているが、各々の図示を省略している。
【００１４】
符号１７は結合材であり、コンクリート基礎１３の上面と各嵩上げコンクリートブロック１６の底版部１６ａの下面との隙間ＣＬ（図７を参照）に設けられている。図３には、後述する各第３止水ゴムパッキン１９の下側隙間（符号省略）と、第１止水ゴムパッキン１４の前側隙間（符号省略）にも結合材１７を設けたものを示しているが、当該結合材１７は第３止水ゴムパッキン１９の下側隙間と第１止水ゴムパッキン１４の前側隙間に必ずしも設ける必要はない。この結合材１７の材料には、グラウトやモルタル等が好ましく使用できる。ちなみに、結合材１７は、各嵩上げコンクリートブロック１６の底版部１６ａの下面をコンクリート基礎１３の上面に結合する役目と、各嵩上げコンクリートブロック１６の底版部１６ａの下面とコンクリート基礎１３の上面との間の防水性を第１止水ゴムパッキン１４との協働によって高める役目を果たす。
【００１５】
前記隙間ＣＬに結合材１７を設ける手法には、（１）嵩上げコンクリートブロック１６を設置した後に前記隙間ＣＬに硬化前のグラウトまたはモルタルを注入してこれを硬化させる手法と、（２）嵩上げコンクリートブロック１６を設置する前にコンクリート基礎１３の上面に硬化前のグラウトまたはモルタルを塗布してその後に嵩上げコンクリートブロック１６を設置してこれを硬化させる手法のいずれかを採用することができる。前記手法（１）における注入は、底版部１６ａの下面後側から高さ調整スペーサ１５の間を通じて行うことができる他、各嵩上げコンクリートブロック１６の底版部１６ａに予め１以上形成した注入用の貫通孔（図示省略）を通じて行うことができる。
【００１６】
符号１８は第２止水ゴムパッキンであり、左右方向で隣接する嵩上げコンクリートブロック１６の側版部１６ｂの間に設けられている。この第２止水ゴムパッキン１８の材料には、第１止水ゴムパッキン１４と同様、クロロプレンゴムやニトリルゴムやエチレンプロピレンゴム等の合成ゴムの他に天然ゴム等が使用できるが、水膨張性を有する合成ゴムを用いることが好ましい。また、第２止水ゴムパッキン１８の断面形状には、第１止水ゴムパッキン１４と同様、図４（Ａ）に示した矩形状の他、図４（Ｂ）に示した台形状や図４（Ｃ）に示した楕円形状等が適宜使用できる。さらに、第２止水ゴムパッキン１８の高さ（上下方向の寸法）は、嵩上げコンクリートブロック１６の側版部１６ｂの高さに略一致している。さらに、第２止水ゴムパッキン１８は、左右方向で隣接する嵩上げコンクリートブロック１６の一方の側版部１６ｂの左面または右面にクロロプレンゴム系やエポキシ樹脂系や変性シリコーン樹脂系やウレタン樹脂系等の接着剤を用いて固着されている。
【００１７】
符号１９は第３止水ゴムパッキンであり、左右方向で隣接する嵩上げコンクリートブロック１６の底版部１６ａの間に設けられている。この第３止水ゴムパッキン１９の材料には、第１止水ゴムパッキン１４と同様、クロロプレンゴムやニトリルゴムやエチレンプロピレンゴム等の合成ゴムの他に天然ゴム等が使用できるが、水膨張性を有する合成ゴムを用いることが好ましい。また、第３止水ゴムパッキン１９の断面形状には、第１止水ゴムパッキン１４と同様、図４（Ａ）に示した矩形状の他、図４（Ｂ）に示した台形状や図４（Ｃ）に示した楕円形状等が適宜使用できる。さらに、第３止水ゴムパッキン１９の幅（前後方向の寸法）は、嵩上げコンクリートブロック１６の底版部１６ａの幅よりも小さい。さらに、第３止水ゴムパッキン１９は、左右方向で隣接する嵩上げコンクリートブロック１６の一方の底版部１６ａの左面または右面にクロロプレンゴム系やエポキシ樹脂系や変性シリコーン樹脂系やウレタン樹脂系等の接着剤を用いて固着されている。
【００１８】
つぎに、前述の堤防嵩上げ構造物の構成の理解を高めるために、図６〜図８を主に用いて、前述の堤防嵩上げ構造物の構築方法について説明する。ここで説明する構築方法は一例であって、前述の堤防嵩上げ構造物の構築方法を制限するものではない。
【００１９】
前述の堤防嵩上げ構造物を構築するときには、図６に示したように、既存堤防１１の天端１１ａを整地し、この天端に砕石基礎１２とコンクリート基礎１３を設ける。そして、コンクリート基礎１３の上面の表法面１１ｂ側に嵩上げコンクリートブロック１６の並び方向に沿って第１止水ゴムパッキン１４を設けるとともに、同コンクリート基礎１３の上面の裏法面１１ｃ側に嵩上げコンクリートブロック１６の並び方向に間隔をおいて複数個の高さ調整スペーサ１５を設ける。
【００２０】
先に述べたように、第１止水ゴムパッキン１４は、嵩上げコンクリートブロック１６の側版部１６ｂの長さ×並び数に相当する長さを有するものを使用しても良いし、これよりも長さが小さい複数のものを直線的に並べて使用しても良い。また、高さ調整スペーサ１５は、コンクリート基礎１３の上面にモルタル硬化物を形成して同上面に設けても良いし、コンクリート基礎１３の上面に合成樹脂硬化物を非接着で載置しても良いし、コンクリート基礎１３の上面に合成樹脂硬化物を接着材を用いて固着しても良い。
【００２１】
そして、図７に示したように、クレーン等によって移送された１番目の嵩上げコンクリートブロック１６を、その底版部１６ａの下面が第１止水ゴムパッキン１４および複数個の高さ調整スペーサ１５に接触するように設置する。
【００２２】
そして、図８に示したように、設置後の１番目の嵩上げコンクリートブロック１６の側版部１６ｂの左面に第２止水ゴムパッキン１８を接着剤を用いて固着するとともに、底版部１６ａの左面に第３止水ゴムパッキン１９を接着剤を用いて固着する。第２止水ゴムパッキン１８を固着するときには同様の接着剤を用いてその下面が第１止水ゴムパッキン１４の上面に密着するようにし、第３止水ゴムパッキン１９を固着するときには同様の接着剤を用いてその前面が第２止水ゴムパッキン１８の後面に密着するようにする。第２止水ゴムパッキン１８および第３止水ゴムパッキン１９の材料が水膨張性を有する合成ゴムの場合には、第２止水ゴムパッキン１８の下面と第１止水ゴムパッキン１４の上面との密着と、第３止水ゴムパッキン１９の前面と第２止水ゴムパッキン１８の後面との密着に、必ずしも接着剤を用いる必要はない。
【００２３】
そして、図８に示した１番目の嵩上げコンクリートブロック１６の左側に、２番目の嵩上げコンクリートブロック１６（図示省略）を、その底版部１６ａの下面が第１止水ゴムパッキン１４および複数個の高さ調整スペーサ１５に接触するように設置する。そして、２番目の嵩上げコンクリートブロック１６を右方向に移動させて、その側版部１６ｂが第２止水ゴムパッキン１８を介して１番目の嵩上げコンクリートブロック１６の側版部１６ｂと向き合い、かつ、その底版部１６ａが第３止水ゴムパッキン１９を介して１番目の嵩上げコンクリートブロック１６の側版部１６ｂと向き合うように位置調整し、２番目の嵩上げコンクリートブロック１６を１番目の嵩上げコンクリートブロック１６に連結する。
【００２４】
この後も、前記同様に、２番目以降の嵩上げコンクリートブロック１６への第２止水ゴムパッキン１８および第３止水ゴムパッキン１９の固着と、３番目以降の嵩上げコンクリートブロック１６の設置、位置調整および連結を、嵩上げコンクリートブロック１６が必要数に達するまで行う。
【００２５】
そして、コンクリート基礎１３の上面と各嵩上げコンクリートブロック１６の底版部１６ａの下面との隙間ＣＬ（図７を参照）に結合材１７を設ける。前記隙間ＣＬに結合材１７を設ける手法には、先に述べた手法（１）と手法（２）のいずれを採用しても良いが、硬化前のグラウトまたはモルタルの余剰分が底版部１６ａの下面後側から漏れ出ることを防止するために、漏れ出し防止用の仕切板等を底版部１６ａの下面後側に設置して作業後にこれを取り除くようにしても良い。前記手法（１）または前記手法（２）によって前記隙間ＣＬに結合材１７を設けるときに、硬化前のグラウトまたはモルタルの余剰分が各第３止水ゴムパッキン１９の下側隙間（符号省略、図３を参照）に入り込んでも、各第３止水ゴムパッキン１９があるため、当該余剰分が左右方向で隣接する嵩上げコンクリートブロック１６の底版部１６ａの間から上側に漏れ出すことはない。以上で、前述の堤防嵩上げ構造物が構築される。
【００２６】
つぎに、第１実施形態に係る堤防嵩上げ構造物によって得られる効果について説明する。
【００２７】
第１実施形態に係る堤防嵩上げ構造物は、コンクリート基礎１３の上面の表法面１１ｂ側に第１止水ゴムパッキン１４が設けられ、しかも、コンクリート基礎１３の上面と各嵩上げコンクリートブロック１６の底版部１６ａの下面との隙間ＣＬに結合材１７が設けられている。すなわち、各嵩上げコンクリートブロック１６の底版部１６ａの下面とコンクリート基礎１３の上面との間の防水性が第１止水ゴムパッキン１４と結合材１７との協働によって高められているため、表法面１１ｂ側の水位が上昇したときでも、各嵩上げコンクリートブロック１６の底版部１６ａの下面側を通じて表法面１１ｂ側から裏法面１１ｃ側に向かって水漏れが生じることを防止できるし、この水漏れを原因として各嵩上げコンクリートブロック１６の支持部分が崩壊して嵩上げコンクリートブロック１６が倒れることも防止できる。
【００２８】
また、第１実施形態に係る堤防嵩上げ構造物は、コンクリート基礎１３の上面の裏法面１１ｃ側に高さ調整スペーサ１５が設けられ、しかも、各嵩上げコンクリートブロック１６は底版部１６ａの下面が第１止水ゴムパッキン１４および高さ調整スペーサ１５に接触した状態で設置されている。すなわち、コンクリート基礎１３の上面に第１止水ゴムパッキン１４を設けた場合でも、各嵩上げコンクリートブロック１６の設置姿勢を高さ調整スペーサ１５によって調整できるため、表法面１１ｂ側の水位が上昇したときでも、水圧の影響等によって各嵩上げコンクリートブロック１６が倒れることを防止できる。
【００２９】
さらに、第１実施形態に係る堤防嵩上げ構造物は、左右方向で隣接する嵩上げコンクリートブロック１６の側版部１６ｂの間に第２止水ゴムパッキン１８が設けられている。すなわち、左右方向で隣接する嵩上げコンクリートブロック１６の側版部１６ｂの間の防水性が第２止水ゴムパッキン１８によって高められているため、表法面１１ｂ側の水位が上昇したときでも、前記側版部１６ｂの間を通じて表法面１１ｂ側から裏法面１１ｃ側に向かって水漏れが生じることを防止できる。
【００３０】
さらに、第１実施形態に係る堤防嵩上げ構造物は、左右方向で隣接する嵩上げコンクリートブロック１６の底版部１６ａの間に第３止水ゴムパッキン１９が設けられている。すなわち、左右方向で隣接する嵩上げコンクリートブロック１６の底版部１６ａの間の防水性が第３止水ゴムパッキン１９によって高められるとともに、前記手法（１）または前記手法（２）によって前記隙間ＣＬに結合材１７を設けるときに、硬化前のグラウトまたはモルタルの余剰分が左右方向で隣接する嵩上げコンクリートブロック１６の底版部１６ａの間から上側に漏れ出すことを防止することができる。
【００３１】
さらに、第１実施形態に係る堤防嵩上げ構造物は、コンクリート基礎１３の上面に第１止水ゴムパッキン１４および高さ調整スペーサ１５が設けられているので、嵩上げコンクリートブロック１６の設置と、設置後の嵩上げコンクリートブロック１６への第２止水ゴムパッキン１８および第３止水ゴムパッキン１９の固着と、固着後の嵩上げコンクリートブロック１６の位置調整および連結を繰り返した後に、結合材１７を設ける作業を行うことにより、所望数の嵩上げコンクリートブロック１６から成る堤防嵩上げ構造物を効率良く構築することができる。
【００３２】
なお、第１実施形態に係る堤防嵩上げ構造物にあっては、各嵩上げコンクリートブロック１６の姿勢および位置を安定化させるために、各嵩上げコンクリートブロック１６の底版部１６ａの上面を覆うように裏法面１１ｃ側に埋め戻し土２０を設けても良い（図２および３を参照）。
【００３３】
また、第１実施形態に係る堤防嵩上げ構造物にあっては、左右方向で隣接する嵩上げコンクリートブロック１６の側版部１６ｂの間および底版部１６ａの間の防水性を高めるために、各第２止水ゴムパッキン１８の前側隙間（符号省略、図３を参照）と、各第２止水ゴムパッキン１８の後側隙間（符号省略、図３を参照）と、各第３止水ゴムパッキン１９の上側隙間（符号省略、図３を参照）に目地材（図示省略）を設けても良い。この目地材の材料には、モルタルやグラウトの他、変成シリコーン系やポリサルファイド系等のシーリング材を適宜用いることができる。
【００３４】
《第２実施形態（図９）》
図９は本発明の第２実施形態に係る堤防嵩上げ構造物を示す。この堤防嵩上げ構造物の構成が第１実施形態に係る堤防嵩上げ構造物と異なるところは、
・基礎堤防１１の表法面１１ｂに護岸コンクリートブロック１１ｄが敷設されている点
・砕石基礎１２を排除し、最上位の護岸コンクリートブロック１１ｄの上面と一部が重な
るようにコンクリート基礎１３が設けられている点
・コンクリート基礎１３の前面と、各嵩上げコンクリートブロック１６の側版部１６ｂの  前面が、護岸コンクリートブロック１１ｄの前面と段差無く連続している点
にある。他の構成は第１実施形態に係る堤防嵩上げ構造物と同じであるため、同一符号を用いてその説明を省略する。
【００３５】
この第２実施形態に係る堤防嵩上げ構造物は、護岸コンクリートブロック１１ｄが敷設されている堤防に適用する際に有用であり、最上位の護岸コンクリートブロック１１ｄを利用して基礎の簡略化を図ることができる。他の効果は第１実施形態に係る堤防嵩上げ構造物と同じであるため、その説明を省略する。
【００３６】
《第３実施形態（図１０）》
図１０は本発明の第３実施形態に係る堤防嵩上げ構造物を示す。この堤防嵩上げ構造物の構成が第１実施形態に係る堤防嵩上げ構造物と異なるところは、
・各嵩上げコンクリートブロック１６の側版部１６ｂの前面の少なくとも下部が、既存堤
防１１の表法面１１ｂ側に設けられた埋め戻し土２１によって覆われている点
にある。他の構成は第１実施形態に係る堤防嵩上げ構造物と同じであるため、同一符号を用いてその説明を省略する。
【００３７】
この第３実施形態に係る堤防嵩上げ構造物は、表法面１１ｂ側に設けられた埋め戻し土２１、または、先に述べた裏法面１１ｃ側の埋め戻し土２０との協働によって、各嵩上げコンクリートブロック１６の姿勢および位置を安定化させることができる。他の効果は第１実施形態に係る堤防嵩上げ構造物と同じであるため、その説明を省略する。
【００３８】
《他の実施形態》
（Ｍ１）各堤防嵩上げ構造物を構成する第１止水ゴムパッキン１４として、嵩上げコンクリートブロック１６の側版部１６ｂの長さ×並び数に相当する長さを有するものを使用する場合とこれよりも長さが小さい複数のものを直線的に並べて使用する場合、すなわち、複数の嵩上げコンクリートブロック１６で共用する形態の第１止水ゴムパッキン１４について説明したが、共用しない形態も採用可能である。
【００３９】
図１１は複数の嵩上げコンクリートブロック１６で共用しない形態の第１止水ゴムパッキン１４の例を示す。図１１（Ｃ）に示したように、この第１止水ゴムパッキン１４は、嵩上げコンクリートブロック１６の側版部１６ｂの長さよりも僅かに大きく、両端部が上側に折り曲げられている。第１止水ゴムパッキン１４の非折り曲げ部分はコンクリート基礎１３の上面に接着剤を用いて固着され、両折り曲げ部分１４ａは嵩上げコンクリートブロック１６を設置した後に側版部１６ｂの左面と右面にそれぞれ接着剤を用いて固着される。
【００４０】
また、図１１（Ａ）および図１１（Ｂ）に示したように、左右方向で隣接する嵩上げコンクリートブロック１６のうち、一方の嵩上げコンクリートブロック１６（図１１（Ａ）を参照）に対応する第１止水ゴムパッキン１４と、他方の嵩上げコンクリートブロック１６（図１１（Ａ）Ｂ参照）に対応する第１止水ゴムパッキン１４は、前後に位置がずれていて互いの折り曲げ部分１４ａがぶつからないようになっている。ちなみに、図１１（Ａ）および図１１（Ｂ）に示したように、第２止水ゴムパッキン１８と第３止水ゴムパッキン１９の固着位置は同じであるが、第２止水ゴムパッキン１８の高さ（上下方向の寸法）は折り曲げ部分１４ａの高さ（上下方向の寸法）だけ小さくなっている。
【００４１】
すなわち、図１１（Ｃ）に示したように、左右方向で隣接する嵩上げコンクリートブロック１６の側版部１６ｂの間には２つの折り曲げ部分１４ａが介在するものの、第１止水ゴムパッキン１４の位置が前後に位置がずれているため、嵩上げコンクリートブロック１６の側版部１６ｂの間の寸法は１つの折り曲げ部分１４ａの厚さに相当する。
【００４２】
（Ｍ２）各堤防嵩上げ構造物を構成する嵩上げコンクリートブロック１６として側版部１６ｂの長さ＞側版部１６ｂの高さ＞底版部１６ｂの幅の関係を有するものを示したが、底版部１６ａと側版部１６ｂとを連続して有するものであれば、他の寸法関係を有するものでも嵩上げコンクリートブロック１６として使用することができる。
【００４３】
（Ｍ３）図示の便宜上、各堤防嵩上げ構造物の既存堤防１１の天端１１ａの幅が嵩上げコンクリートブロック１６の底版部１１ａの幅に比べてさほど大きくないものを示したが、天端１１ａの幅が図示幅よりも大きくても各堤防嵩上げ構造物を適宜構築することができる。例えば、既存堤防１１の天端１１ａの幅が大きい場合には、各堤防嵩上げ構造物の構築位置を変えることにより、裏法面１１ｃ側の埋め戻し土２０の幅、または、裏法面１１ｃ側の埋め戻し土２０の幅と表法面１１ｂ側の埋め戻し土２１の幅の両方を増加することができる。また、埋め戻し土２０の幅を増加できる場合には、この埋め戻し土２０の上に人間や自転車や車等が通行可能な道路を構築することもできる。
【００４４】
（Ｍ４）各堤防嵩上げ構造物として第１止水ゴムパッキン１４の後側に高さ調整スペーサ１５を設けたものを示したが、この高さ調整スペーサ１５と同様の第２の高さ調整スペーサ（図示省略）を第１止水ゴムパッキン１４の前側に設けて、嵩上げコンクリートブロック１６をその底版部１６ａの下面が第１止水ゴムパッキン１４、高さ調整スペーサ１５および第２の高さ調整スペーサに接触した状態で設置するようにしても良い。
【符号の説明】
【００４５】
１１…既存堤防、１１ａ…天端、１１ｂ…表法面、１１ｃ…裏法面、１１ｄ…護岸コンクリートブロック、１２…砕石基礎、１３…コンクリート基礎、１４…第１止水ゴムパッキン、１５…高さ調整スペーサ、１６…嵩上げコンクリートブロック、１６ａ…底版部、１６ｂ…側版部、１６ｃ…鉄筋、１７…結合材、１８…第２止水ゴムパッキン、１９…第３止水ゴムパッキン、２０…裏法面側の埋め戻し土、２１…表法面側の埋め戻し土。
【図１】
2018178644.tif 000003
【図２】
2018178644.tif 000004
【図３】
2018178644.tif 000005
【図４】
2018178644.tif 000006
【図５】
2018178644.tif 000007
【図６】
2018178644.tif 000008
【図７】
2018178644.tif 000009
【図８】
2018178644.tif 000010
【図９】
2018178644.tif 000011
【図１０】
2018178644.tif 000012
【図１１】
2018178644.tif 000013